(57)【要約】【課題】事故検出方法および点検作業の容易化が図れるケーブル区間事故検出装置を提供する。【解決手段】ケーブル区間事故検出装置は、第１の電力ケーブル１Ｃのシースアース線を流れる第１のシース電流ｉS1と第２の電力ケーブル２Ｃのシースアース線を流れる第２のシース電流ｉS2との和電流の電流値が所定の整定値以上になると動作する過電流継電器１１と、第１の架空分岐線１Ｌ’を流れる第１の架空分岐線事故電流Ｉ1に基づいて動作する第１の送電線継電器２０1と、第２の架空分岐線２Ｌ’を流れる第２の架空分岐線事故電流Ｉ2に基づいて動作する第２の送電線継電器２０2と、過電流継電器１１が動作するとともに第１および第２の送電線継電器２０1，２０2の一方が動作することにより第１および第２の電力ケーブル１Ｃ，２Ｃでの事故発生を検出する事故検出装置３０とを具備する。【選択図】図１
2010112920.tif 000002
【特許請求の範囲】
【請求項１】
平衡２回線送電線を構成する第１および第２の架空送電線（１Ｌ，２Ｌ）から分岐された第１および第２の架空分岐線（１Ｌ’，２Ｌ’）の一部に第１および第２の電力ケーブル（１Ｃ，２Ｃ）が接続されている電力系統において該第１および第２の電力ケーブルで発生した事故を検出するためのケーブル区間事故検出装置であって、
前記第１の電力ケーブルのシースアース線を流れる第１のシース電流と前記第２の電力ケーブルのシースアース線を流れる第２のシース電流との和電流の電流値が所定の値以上であるか否かを判定する判定手段と、
前記第１の架空分岐線を流れる第１の架空分岐線事故電流に基づいて動作する第１の送電線継電器（２０1）と、
前記第２の架空分岐線を流れる第２の架空分岐線事故電流に基づいて動作する第２の送電線継電器（２０2）と、
前記判定手段で前記和電流の電流値が前記所定の値以上であると判定されるとともに前記第１または第２の送電線継電器が動作することにより前記第１または第２の電力ケーブルでの事故発生を検出する事故検出手段と、
を具備することを特徴とする、ケーブル区間事故検出装置。
【請求項２】
前記判定手段が、前記第１の電力ケーブルのシースアース線を流れる第１のシース電流と前記第２の電力ケーブルのシースアース線を流れる第２のシース電流との和電流に基づいて動作する過電流継電器であり、
前記事故検出手段が、前記過電流継電器が動作するとともに前記第１または第２の送電線継電器が動作することにより前記第１または第２の電力ケーブルでの事故発生を検出する、
ことを特徴とする、請求項１記載のケーブル区間事故検出装置。
【請求項３】
前記判定手段が、前記第１の電力ケーブルの各相のシースアース線を流れる第１の各相シース電流（ｉS1R，ｉS1S，ｉS1T）の和電流である第１のシース和電流（ｉS1）と前記第２の電力ケーブルの各相シースアース線を流れる第２の各相シース電流（ｉS2R，ｉS2S，ｉS2T）の和電流である第２のシース和電流（ｉS2）との和電流（ｉS1＋ｉS2）が所定の整定値以上になると動作して、過電流継電器動作信号（ＳOC）を出力する過電流継電器（１１）であり、
前記第１の送電線継電器が、前記第１の架空分岐線の各相を流れる第１の各相架空分岐線事故電流（Ｉ1R，Ｉ1S，Ｉ1T）に基づいて動作して、第１の送電線継電器動作信号（ＳLP1）を出力し、
前記第２の送電線継電器が、前記第２の架空分岐線の各相を流れる第２の各相架空分岐線事故電流（Ｉ2R，Ｉ2S，Ｉ2T）に基づいて動作して、第２の送電線継電器動作信号（ＳLP2）を出力し、
前記事故検出手段が、前記過電流継電器から前記過電流継電器動作信号が入力されるとともに前記第１の送電線継電器から前記第１の送電線継電器動作信号が入力されるか前記第２の送電線継電器から前記第２の送電線継電器動作信号が入力されることにより前記第１または第２の電力ケーブルでの事故発生を検出する事故検出装置（３０）である、
ことを特徴とする、請求項１または２記載のケーブル区間事故検出装置。
【請求項４】
前記事故検出装置が、
前記過電流継電器動作信号、前記第１の送電線継電器動作信号および前記第２の送電線継電器動作信号の極性を反転した信号の論理積をとる第１の論理積回路（３１1）と、
前記過電流継電器動作信号、前記第１の送電線継電器動作信号の極性を反転した信号および前記第２の送電線継電器動作信号の論理積をとる第２の論理積回路（３１2）と、
を備えることを特徴とする、請求項３記載のケーブル区間事故検出装置。
【発明の詳細な説明】
【技術分野】
【０００１】
本発明は、ケーブル区間事故検出装置に関し、特に、平衡２回線送電線から分岐された電力系統に存在するケーブル区間において事故が発生したか否かを検出するのに好適なケーブル区間事故検出装置に関する。
【背景技術】
【０００２】
従来、電力系統にケーブル区間がある場合には、架空線区間での事故であるかケーブル区間での事故であるか判定するために、ケーブル区間事故検出装置が設置されている。
【０００３】
たとえば、下記の特許文献１には、各普通接続箱の接地線を流れる電流の大きさおよび方向を相ごとに常時測定しておき、また、ケーブル導体電流の大きさを相ごとに常時測定しておき、地絡事故が発生したときに各普通接続箱の各接地線を流れる事故電流の大きさおよび方向並びにケーブル導体電流の大きさの組合せパターンから事故区間を推定し、さらに事故相と他の相との事故電流の相間位相差を測定して事故区間を確定する、電力ケーブル線路の事故区間検出方法が開示されている。
【０００４】
また、たとえば図７に示すようにＡ変電所とＣ変電所との間に敷設された第１および第２の架空送電線１Ｌ，２Ｌ（平衡２回線送電線を構成する。）から分岐された第１および第２の架空分岐線１Ｌ’，２Ｌ’の一部に第１および第２の電力ケーブル１Ｃ，２Ｃが接続されている場合には、以下のようにして架空線区間（第１および第２の架空送電線１Ｌ，２Ｌ、第１および第２の架空分岐線１Ｌ’，２Ｌ’並びにＢ変電所母線）での事故であるかケーブル区間（第１および第２の電力ケーブル１Ｃ，２Ｃ）での事故であるかを判定している。
なお、図７では説明の簡単のために１相についてのみ示しており、実際には相ごとに架空線区間での事故であるかケーブル区間の事故であるかを判定している。
【０００５】
第１および第２の変流器１１１1，１１１2を第１および第２の架空分岐線１Ｌ’，２Ｌ’のＢ変電所側（平衡２回線送電線と反対側）に設置して、第１および第２の架空分岐線１Ｌ’，２Ｌ’に流れる第１および第２の架空分岐線事故電流Ｉ1，Ｉ2を検出する。
また、第１および第２の電力ケーブル１Ｃ，２Ｃを貫通させるとともに第１および第２の電力ケーブル１Ｃ，２Ｃと逆向きに第１および第２の電力ケーブル１Ｃ，２Ｃの第１および第２のシースアース線を貫通させた第１および第２の貫通型変流器１１２1，１１２2を第１および第２の電力ケーブル１Ｃ，２Ｃに設置して、第１および第２の電力ケーブル１Ｃ，２Ｃに流れる第１および第２の電力ケーブル事故電流ｉ1，ｉ2を検出する。
【０００６】
第１の事故検出装置１３１1は、第１の送電線継電器１２０1から入力される第１の変流器１１１1によって検出された第１の架空分岐線事故電流Ｉ1と第１の事故検出装置端末１３２1から光伝送で送信されてくる第１の貫通型変流器１１２1によって検出された第１の電力ケーブル事故電流ｉ1とに基づいて、架空線区間（第１の送電線１Ｌ、第１の架空分岐線１ＣまたはＢ変電所母線）での事故であるかケーブル区間（第１の電力ケーブル１Ｃ）での事故であるかを判定する。
同様に、第２の事故検出装置１３１2は、第２の送電線継電器１２０2から入力される第２の変流器１１１2によって検出された第２の架空分岐線事故電流Ｉ2と第２の事故検出装置端末１３２2から光伝送で送信されてくる第２の貫通型変流器１１２2によって検出された第２の電力ケーブル事故電流ｉ2とに基づいて、架空線区間（第２の送電線２Ｌ、第２の架空分岐線２ＣまたはＢ変電所母線）での事故であるかケーブル区間（第２の電力ケーブル２Ｃ）での事故であるかを判定する。
【特許文献１】特開平５−１６４８０４号公報
【発明の開示】
【発明が解決しようとする課題】
【０００７】
しかしながら、上記の特許文献１に開示された電力ケーブル線路の事故区間検出方法では、事故相と他の相との事故電流の相間位相差を測定する必要があり、事故検出方法が複雑であるという問題がある。
また、ケーブル区間事故検出装置として電流差動方式のものや故障標定システムなども提案されているが、高価であったり事故検出や事故判定する装置が複雑であったりするという問題がある。
【０００８】
図７に示したケーブル区間事故検出装置では、第１および第２の貫通型変流器１１２1，１１２2を第１および第２の電力ケーブル１Ｃ，２Ｃの各相に設置する必要があるため、合計で６個の貫通型変流器が必要であるという問題がある。
また、第１および第２の区間事故検出装置１３１1，１３１2並びに第１および第２の区間事故検出装置端末１３２1，１３２2は、ＰＣＭ電流差動継電器を活用したものであるため、非常に高価であるという問題があるとともに、第１および第２の事故検出装置１３１1，１３１2並びに第１および第２の事故検出装置端末１３２1，１３２2の点検はＰＣＭ電流差動継電器の点検と同等の内容となるため、この点検作業に時間がかかるという問題がある。
【０００９】
本発明の目的は、事故検出方法および点検作業の容易化が図れるケーブル区間事故検出装置を提供することにある。
【課題を解決するための手段】
【００１０】
本発明のケーブル区間事故検出装置は、平衡２回線送電線を構成する第１および第２の架空送電線（１Ｌ，２Ｌ）から分岐された第１および第２の架空分岐線（１Ｌ’，２Ｌ’）の一部に第１および第２の電力ケーブル（１Ｃ，２Ｃ）が接続されている電力系統において該第１および第２の電力ケーブルで発生した事故を検出するためのケーブル区間事故検出装置であって、前記第１の電力ケーブルのシースアース線を流れる第１のシース電流と前記第２の電力ケーブルのシースアース線を流れる第２のシース電流との和電流の電流値が所定の値以上であるか否かを判定する判定手段と、前記第１の架空分岐線を流れる第１の架空分岐線事故電流に基づいて動作する第１の送電線継電器（２０1）と、前記第２の架空分岐線を流れる第２の架空分岐線事故電流に基づいて動作する第２の送電線継電器（２０2）と、前記判定手段で前記和電流の電流値が前記所定の値以上であると判定されるとともに前記第１または第２の送電線継電器が動作することにより前記第１または第２の電力ケーブルでの事故発生を検出する事故検出手段とを具備することを特徴とする。
ここで、前記判定手段が、前記第１の電力ケーブルのシースアース線を流れる第１のシース電流と前記第２の電力ケーブルのシースアース線を流れる第２のシース電流との和電流に基づいて動作する過電流継電器であり、前記事故検出手段が、前記過電流継電器が動作するとともに前記第１または第２の送電線継電器が動作することにより前記第１または第２の電力ケーブルでの事故発生を検出してもよい。
前記判定手段が、前記第１の電力ケーブルの各相のシースアース線を流れる第１の各相シース電流（ｉS1R，ｉS1S，ｉS1T）の和電流である第１のシース和電流（ｉS1）と前記第２の電力ケーブルの各相シースアース線を流れる第２の各相シース電流（ｉS2R，ｉS2S，ｉS2T）の和電流である第２のシース和電流（ｉS2）との和電流（ｉS1＋ｉS2）が所定の整定値以上になると動作して、過電流継電器動作信号（ＳOC）を出力する過電流継電器（１１）であり、前記第１の送電線継電器が、前記第１の架空分岐線の各相を流れる第１の各相架空分岐線事故電流（Ｉ1R，Ｉ1S，Ｉ1T）に基づいて動作して、第１の送電線継電器動作信号（ＳLP1）を出力し、前記第２の送電線継電器が、前記第２の架空分岐線の各相を流れる第２の各相架空分岐線事故電流（Ｉ2R，Ｉ2S，Ｉ2T）に基づいて動作して、第２の送電線継電器動作信号（ＳLP2）を出力し、前記事故検出手段が、前記過電流継電器から前記過電流継電器動作信号が入力されるとともに前記第１の送電線継電器から前記第１の送電線継電器動作信号が入力されるか前記第２の送電線継電器から前記第２の送電線継電器動作信号が入力されることにより前記第１または第２の電力ケーブルでの事故発生を検出する事故検出装置（３０）であってもよい。
前記事故検出装置が、前記過電流継電器動作信号、前記第１の送電線継電器動作信号および前記第２の送電線継電器動作信号の極性を反転した信号の論理積をとる第１の論理積回路（３１1）と、前記過電流継電器動作信号、前記第１の送電線継電器動作信号の極性を反転した信号および前記第２の送電線継電器動作信号の論理積をとる第２の論理積回路（３１2）とを備えてもよい。
【発明の効果】
【００１１】
本発明のケーブル区間事故検出装置は、以下に示す効果を奏する。
（１）第１および第２の電力ケーブルのシースアース線を流れる第１および第２のシース電流の和電流が所定の値以上になるとともに第１または第２の送電線継電器が動作すると第１または第２の電力ケーブルでの事故発生を検出するので、事故検出方法の容易化が図れる。
（２）ＰＣＭ電流差動継電器を活用する必要がないので、事故検出装置の点検作業の容易化が図れる。
（３）第１および第２の電力ケーブルのシースアース線を流れる第１および第２のシース電流の和電流を検出することにより第１または第２の電力ケーブルでの事故発生を検出することができるので、電力ケーブルの各相に貫通型変流器を設置する必要がない。
（４）第１および第２の電力ケーブルの各相のシース電流の和電流を検出するのに２個の変流器を使用すればよいので、６個の貫通型変流器を使用する従来のケーブル区間事故検出装置に比べて低価格化が図れる。
【発明を実施するための最良の形態】
【００１２】
上記の目的を、第１および第２の電力ケーブルのシースアース線を流れる第１および第２のシース電流の和電流が所定の値以上になるとともに第１または第２の送電線継電器が動作すると第１または第２の電力ケーブルでの事故発生を検出することにより実現した。
【実施例１】
【００１３】
以下、本発明のケーブル区間事故検出装置の実施例について図面を参照して説明する。
本発明の一実施例によるケーブル区間事故検出装置は、図１に示すように、Ａ変電所とＣ変電所との間に敷設された第１および第２の架空送電線１Ｌ，２Ｌ（平衡２回線送電線を構成する。）から分岐された第１および第２の架空分岐線１Ｌ’，２Ｌ’の一部に第１および第２の電力ケーブル１Ｃ，２Ｃが接続されている電力系統において第１および第２の電力ケーブル１Ｃ，２Ｃで発生した事故を検出するためのものであり、第１および第２のシース電流検出用変流器１０1，１０2と過電流継電器（ＯＣ）１１と第１のＲ相、Ｓ相およびＴ相変流器１１1R，１１1S，１１1Tと第２のＲ相、Ｓ相およびＴ相変流器１１2R，１１2S，１１2Tと第１および第２の送電線継電器（ＬＰ）２０1，２０2と事故検出装置３０とを具備する。
なお、図１および図３乃至図６では、図面の簡単のために、第１および第２の架空送電線１Ｌ，２ＬとＢ変電所母線とはＲ相のみ示している。
【００１４】
ここで、第１のシース電流検出用変流器１０1は、第１のＲ相、Ｓ相およびＴ相電力ケーブル１ＣR，１ＣS，１ＣTのシースアース線をそれぞれ流れる第１のＲ相、Ｓ相およびＴ相シース電流ｉS1R，ｉS1S，ｉS1Tの和（以下、「第１のシース和電流ｉS1」と称する。）を検出するためのものである。
第２のシース電流検出用変流器１０2は、第２のＲ相、Ｓ相およびＴ相電力ケーブル２ＣR，２ＣS，２ＣTのシースアース線をそれぞれ流れる第２のＲ相、Ｓ相およびＴ相シース電流ｉS2R，ｉS2S，ｉS2Tの和（以下、「第２のシース和電流ｉS2」と称する。）を検出するためのものである。
第１および第２のシース電流検出用変流器１０1，１０2は和接続されている。
【００１５】
過電流継電器１１（判定手段）は、和接続された第１および第２のシース電流検出用変流器１０1，１０2から入力される第１および第２のシース和電流ｉS1，ｉS2の和電流（ｉS1＋ｉS2）の電流値が所定の整定値以上になると動作して、ハイレベルの過電流継電器動作信号ＳOCを出力する。
【００１６】
第１のＲ相、Ｓ相およびＴ相変流器１１1R，１１1S，１１1Tは、第１のＲ相、Ｓ相およびＴ相架空分岐線１ＬR’，１ＬS’，１ＬT’のＢ変電所側（平衡２回線送電線と反対側）に設置されており、第１のＲ相、Ｓ相およびＴ相架空分岐線１ＬR’，１ＬS’，１ＬT’をそれぞれ流れる第１のＲ相、Ｓ相およびＴ相架空分岐線事故電流Ｉ1R，Ｉ1S，Ｉ1Tをそれぞれ検出するためのものである。
第２のＲ相、Ｓ相およびＴ相変流器１１2R，１１2S，１１2Tは、第２のＲ相、Ｓ相およびＴ相架空分岐線２ＬR’，２ＬS’，２ＬT’のＢ変電所側（平衡２回線送電線と反対側）に設置されており、第２のＲ相、Ｓ相およびＴ相架空分岐線２ＬR’，２ＬS’，２ＬT’をそれぞれ流れる第２のＲ相、Ｓ相およびＴ相架空分岐線事故電流Ｉ2R，Ｉ2S，Ｉ2Tをそれぞれ検出するためのものである。
【００１７】
第１の送電線継電器２０1は、第１のＲ相、Ｓ相およびＴ相変流器１１1R，１１1S，１１1Tからそれぞれ入力される第１のＲ相、Ｓ相およびＴ相架空分岐線事故電流Ｉ1R，Ｉ1S，Ｉ1Tに基づいて動作して、ハイレベルの第１の送電線継電器動作信号ＳLP1を出力する。
第２の送電線継電器２０2は、第２のＲ相、Ｓ相およびＴ相変流器１１2R，１１2S，１１2Tからそれぞれ入力される第２のＲ相、Ｓ相およびＴ相架空分岐線事故電流Ｉ2R，Ｉ2S，Ｉ2Tに基づいて動作して、ハイレベルの第２の送電線継電器動作信号ＳLP2を出力する。
【００１８】
事故検出装置３０（事故検出手段）は、過電流継電器１１からハイレベルの過電流継電器動作信号ＳOCが入力されるとともに第１の送電線継電器２０1からハイレベルの第１の送電線継電器動作信号ＳLP1が入力されるか第２の送電線継電器２０2から第２の送電線継電器動作信号ＳLP2が入力されることにより第１または第２の電力ケーブル１Ｃ，２Ｃでの事故発生を検出するためのものである。
これを実現するために、事故検出装置３０は、図２に示すように、過電流継電器動作信号ＳOC、第１の送電線継電器動作信号ＳLP1および第２の送電線継電器動作信号ＳLP2の極性を反転した信号の論理積をとる第１の論理積回路３１1と、過電流継電器動作信号ＳOC、第１の送電線継電器動作信号ＳLP1の極性を反転した信号および第２の送電線継電器動作信号ＳLP2の論理積をとる第２の論理積回路３１2とを備える。
なお、第１の論理積回路３１1からは、第１の電力ケーブル１Ｃで事故が発生したことを示すハイレベルの第１の電力ケーブル事故検出信号Ｓ1Lが出力され、また、第２の論理積回路３１2からは、第２の電力ケーブル２Ｃで事故が発生したことを示すハイレベルの第２の電力ケーブル事故検出信号Ｓ2Lが出力される。
【００１９】
次に、第１のＲ相電力ケーブル１ＣRで地絡事故が発生したときの本実施例によるケーブル区間事故検出装置の動作について、図３を参照して説明する。
第１のＲ相電力ケーブル１ＣRで地絡事故が発生すると、図３に実線の太矢印で示すように、第１の架空送電線１ＬのＲ相から第１のＲ相架空分岐線１ＬR’および第１のＲ相電力ケーブル１ＣRを介して事故点に向かって大きな事故電流が流れるとともに、第２の架空送電線２ＬのＲ相から第２のＲ相架空分岐線２ＬR’、第２のＲ相電力ケーブル２ＣR、第２のＲ相架空分岐線２ＬR’、Ｂ変電所母線のＲ相、第１のＲ相架空分岐線１ＬR’および第１のＲ相電力ケーブル１ＣRを介して事故点に向かって大きな事故電流が流れる。
このため、第１のＲ相変流器１１1Rには、大きな第１のＲ相架空分岐線事故電流Ｉ1Rが内部方向に流れ、また、第２のＲ相変流器１１2Rには、大きな第２のＲ相架空分岐線事故電流Ｉ2Rが外部方向に流れる。
【００２０】
その結果、第１の送電線継電器２０1は、第１のＲ相変流器１１1Rから入力される第１のＲ相架空分岐線事故電流Ｉ1Rに基づいて動作して、ハイレベルの第１の送電線継電器動作信号ＳLP1を出力する。
一方、第２の送電線継電器２０2は、第２のＲ相変流器１１2Rから入力される第２のＲ相架空分岐線事故電流Ｉ2Rの向きが外部方向であるために動作せず、ロウレベルの第２の送電線継電器動作信号ＳLP2を出力したままとなる。
【００２１】
また、第１および第２のＲ相電力ケーブル１ＣR，２ＣRに大きな第１および第２のＲ相架空分岐線事故電流Ｉ1R，Ｉ2RがＢ変電所母線に向かって流れるため、図３に破線の太矢印で示すように第１および第２のＲ相電力ケーブル１ＣR，２ＣRのシースアース線に大きな第１および第２のＲ相シース電流ｉS1R，ｉS2Rが第１および第２のＲ相架空分岐線事故電流Ｉ1R，Ｉ2Rと逆方向に流れる。
このため、第１および第２のシース電流検出用変流器１０1，１０2の２次側から、大きな第１および第２のシース和電流ｉS1，ｉS2が過電流継電器１１に流れ込む方向に出力される。
【００２２】
その結果、電流値が整定値以上の第１および第２のシース和電流ｉS1，ｉS2の和電流（ｉS1＋ｉS2）が過電流継電器１１に入力されるため、過電流継電器１１が動作して、ハイレベルの過電流継電器動作信号ＳOCが出力される。
【００２３】
これにより、事故検出装置３０にはハイレベルの過電流継電器動作信号ＳOCとハイレベルの第１の送電線継電器動作信号ＳLP1とロウレベルの第２の送電線継電器動作信号ＳLP2とが入力されるため、事故検出装置３０の第１の論理積回路３１1から出力される第１の電力ケーブル事故検出信号Ｓ1Lがロウレベルからハイレベルとなるが、事故検出装置３０の第２の論理積回路３１2から出力される第２の電力ケーブル事故検出信号Ｓ2Lはロウレベルのままとなる（図２参照）。
その結果、第１のＲ相電力ケーブル１ＣR（ケーブル区間）で事故が発生したことを検出することができる。
【００２４】
次に、第２のＲ相電力ケーブル２ＣRで地絡事故が発生したときの本実施例によるケーブル区間事故検出装置の動作について、図４を参照して説明する。
第２のＲ相電力ケーブル２ＣRで地絡事故が発生すると、図４に実線の太矢印で示すように、第１の架空送電線１ＬのＲ相から第１のＲ相架空分岐線１ＬR’、第１のＲ相電力ケーブル１ＣR、第１のＲ相架空分岐線１ＬR’、Ｂ変電所母線のＲ相、第２のＲ相架空分岐線２ＬR’および第２のＲ相電力ケーブル２ＣRを介して事故点に向かって大きな事故電流が流れるとともに、第２の架空送電線２ＬのＲ相から第２のＲ相架空分岐線２ＬR’および第２のＲ相電力ケーブル２ＣRを介して事故点に向かって大きな事故電流が流れる。
このため、第１のＲ相変流器１１1Rには、大きな第１のＲ相架空分岐線事故電流Ｉ1Rが外部方向に流れ、また、第２のＲ相変流器１１2Rには、大きな第２のＲ相架空分岐線事故電流Ｉ2Rが内部方向に流れる。
【００２５】
その結果、第２の送電線継電器２０2は、第２のＲ相変流器１１2Rから入力される第２のＲ相架空分岐線事故電流Ｉ2Rに基づいて動作して、ハイレベルの第２の送電線継電器動作信号ＳLP2を出力する。
一方、第１の送電線継電器２０1は、第１のＲ相変流器１１1Rから入力される第１のＲ相架空分岐線事故電流Ｉ1Rの向きが外部方向であるために動作せず、ロウレベルの第１の送電線継電器動作信号ＳLP1を出力したままとなる。
【００２６】
また、第１および第２のＲ相電力ケーブル１ＣR，２ＣRに大きな第１および第２のＲ相架空分岐線事故電流Ｉ1R，Ｉ2RがＢ変電所母線に向かって流れるため、図４に破線の太矢印で示すように第１および第２のＲ相電力ケーブル１ＣR，２ＣRのシースアース線に大きな第１および第２のＲ相シース電流ｉS1R，ｉS2Rが第１および第２のＲ相架空分岐線事故電流Ｉ1R，Ｉ2Rと逆方向に流れる。
このため、第１および第２のシース電流検出用変流器１０1，１０2の２次側から、大きな第１および第２のシース和電流ｉS1，ｉS2が過電流継電器１１に流れ込む方向に出力される。
【００２７】
その結果、電流値が整定値以上の第１および第２のシース和電流ｉS1，ｉS2の和電流（ｉS1＋ｉS2）が過電流継電器１１に入力されるため、過電流継電器１１が動作して、ハイレベルの過電流継電器動作信号ＳOCが出力される。
【００２８】
これにより、事故検出装置３０にはハイレベルの過電流継電器動作信号ＳOCとロウレベルの第１の送電線継電器動作信号ＳLP1とハイレベルの第２の送電線継電器動作信号ＳLP2とが入力されるため、事故検出装置３０の第１の論理積回路３１1から出力される第１の電力ケーブル事故検出信号Ｓ1Lはロウレベルのままとなるが、事故検出装置３０の第２の論理積回路３１2から出力される第２の電力ケーブル事故検出信号Ｓ2Lはロウレベルからハイレベルとなる（図２参照）。
その結果、第２のＲ相電力ケーブル２ＣR（ケーブル区間）で事故が発生したことを検出することができる。
【００２９】
次に、Ｂ変電所母線のＲ相で地絡事故が発生したときの本実施例によるケーブル区間事故検出装置の動作について、図５を参照して説明する。
Ｂ変電所母線のＲ相で地絡事故が発生すると、図５に実線の太矢印で示すように、第１の架空送電線１ＬのＲ相から第１のＲ相架空分岐線１ＬR’、第１のＲ相電力ケーブル１ＣR、第１のＲ相架空分岐線１ＬR’およびＢ変電所母線のＲ相を介して事故点に向かって大きな事故電流が流れるとともに、第２の架空送電線２ＬのＲ相から第２のＲ相架空分岐線２ＬR’、第２のＲ相電力ケーブル２ＣR、第２のＲ相架空分岐線２ＬR’およびＢ変電所母線のＲ相を介して事故点に向かって大きな事故電流が流れる。
このため、第１のＲ相変流器１１1Rには、大きな第１のＲ相架空分岐線事故電流Ｉ1Rが外部方向に流れ、また、第２のＲ相変流器１１2Rには、大きな第２のＲ相架空分岐線事故電流Ｉ2Rが外部方向に流れる。
【００３０】
その結果、第１の送電線継電器２０1は、第１のＲ相変流器１１1Rから入力される第１のＲ相架空分岐線事故電流Ｉ1Rの向きが外部方向であるために動作せず、ロウレベルの第１の送電線継電器動作信号ＳLP1を出力したままとなる。
同様に、第２の送電線継電器２０2は、第２のＲ相変流器１１2Rから入力される第２のＲ相架空分岐線事故電流Ｉ2Rの向きが外部方向であるために動作せず、ロウレベルの第２の送電線継電器動作信号ＳLP2を出力したままとなる。
【００３１】
また、第１および第２のＲ相電力ケーブル１ＣR，２ＣRに大きな第１および第２のＲ相架空分岐線事故電流Ｉ1R，Ｉ2RがＢ変電所母線に向かって流れるため、図５に破線の太矢印で示すように第１および第２のＲ相電力ケーブル１ＣR，２ＣRのシースアース線に大きな第１および第２のＲ相シース電流ｉS1R，ｉS2Rが第１および第２のＲ相架空分岐線事故電流Ｉ1R，Ｉ2Rと逆方向に流れる。
このため、第１および第２のシース電流検出用変流器１０1，１０2の２次側から、大きな第１および第２のシース和電流ｉS1，ｉS2が過電流継電器１１に流れ込む方向に出力される。
【００３２】
その結果、電流値が整定値以上の第１および第２のシース和電流ｉS1，ｉS2の和電流（ｉS1＋ｉS2）が過電流継電器１１に入力されるため、過電流継電器１１が動作して、ハイレベルの過電流継電器動作信号ＳOCが出力される。
【００３３】
これにより、事故検出装置３０にはハイレベルの過電流継電器動作信号ＳOCとロウレベルの第１の送電線継電器動作信号ＳLP1とロウレベルの第２の送電線継電器動作信号ＳLP2とが入力されるため、事故検出装置３０の第１の論理積回路３１1から出力される第１の電力ケーブル事故検出信号Ｓ1Lはロウレベルのままとなり、事故検出装置３０の第２の論理積回路３１2から出力される第２の電力ケーブル事故検出信号Ｓ2Lもロウレベルのままとなる（図２参照）。
その結果、Ｂ変電所母線のＲ相（架空線区間）で発生した地絡事故によって事故検出装置３０から出力される第１および第２の電力ケーブル事故検出信号Ｓ1L，Ｓ2Lがハイレベルとなることはない。
【００３４】
次に、第１の架空送電線１ＬのＲ相で地絡事故が発生したときの本実施例によるケーブル区間事故検出装置の動作について、図６を参照して説明する。
第１の架空送電線１ＬのＲ相で地絡事故が発生すると、図６に実線の太矢印で示すように、第１の架空送電線１ＬのＲ相には事故点に向かって大きな事故電流が流れるとともに、第２の架空送電線２ＬのＲ相から第２のＲ相架空分岐線２ＬR’、第２のＲ相電力ケーブル２ＣR、第２のＲ相架空分岐線２ＬR’、Ｂ変電所母線のＲ相、第１のＲ相架空分岐線１ＬR’、第１のＲ相電力ケーブル１ＣR、第１のＲ相架空分岐線１ＬR’および第１の架空送電線１ＬのＲ相を介して事故点に向かって大きな事故電流が流れる。
このため、第１のＲ相変流器１１1Rには、大きな第１のＲ相架空分岐線事故電流Ｉ1Rが内部方向に流れ、また、第２のＲ相変流器１１2Rには、大きな第２のＲ相架空分岐線事故電流Ｉ2Rが外部方向に流れる。
【００３５】
その結果、第１の送電線継電器２０1は、第１のＲ相変流器１１1Rから入力される第１のＲ相架空分岐線事故電流Ｉ1Rに基づいて動作して、ハイレベルの第１の送電線継電器動作信号ＳLP1を出力する。
一方、第２の送電線継電器２０2は、第２のＲ相変流器１１2Rから入力される第２のＲ相架空分岐線事故電流Ｉ2Rの向きが外部方向であるために動作せず、ロウレベルの第２の送電線継電器動作信号ＳLP2を出力したままとなる。
【００３６】
また、第１および第２のＲ相電力ケーブル１ＣR，２ＣRに大きな第１および第２のＲ相架空分岐線事故電流Ｉ1R，Ｉ2RがＢ変電所母線に向かって流れるため、図６に破線の太矢印で示すように第１および第２のＲ相電力ケーブル１ＣR，２ＣRのシースアース線に大きな第１および第２のＲ相シース電流ｉS1R，ｉS2Rが第１および第２のＲ相架空分岐線事故電流Ｉ1R，Ｉ2Rと逆方向に流れる。
このため、第１のシース電流検出用変流器１０1の２次側から出力される第１のシース和電流ｉS1は、第２のシース電流検出用変流器１０2の２次側に流れ込む。
【００３７】
その結果、第１および第２のシース和電流ｉS1，ｉS2の和電流（ｉS1＋ｉS2）が過電流継電器１１に入力されないため、過電流継電器１１は動作せず、過電流継電器動作信号ＳOCはロウレベルのままとなる。
【００３８】
これにより、事故検出装置３０にはロウレベルの過電流継電器動作信号ＳOCとハイレベルの第１の送電線継電器動作信号ＳLP1とロウレベルの第２の送電線継電器動作信号ＳLP2とが入力されるため、事故検出装置３０の第１の論理積回路３１1から出力される第１の電力ケーブル事故検出信号Ｓ1Lはロウレベルのままとなり、事故検出装置３０の第２の論理積回路３１2から出力される第２の電力ケーブル事故検出信号Ｓ2Lもロウレベルのままとなる（図２参照）。
その結果、第１の架空送電線１ＬのＲ相（架空線区間）で発生した地絡事故によって事故検出装置３０から出力される第１および第２の電力ケーブル事故検出信号Ｓ1L，Ｓ2Lがハイレベルとなることはない。
【図面の簡単な説明】
【００３９】
【図１】本発明の一実施例によるケーブル区間事故検出装置の構成を示す図である。
【図２】図１に示した事故検出装置３０の構成を示すブロック図である。
【図３】第１のＲ相電力ケーブル１ＣRで地絡事故が発生したときの図１に示したケーブル区間事故検出装置の動作について説明するための図である。
【図４】第２のＲ相電力ケーブル２ＣRで地絡事故が発生したときの図１に示したケーブル区間事故検出装置の動作について説明するための図である。
【図５】Ｂ変電所母線のＲ相で地絡事故が発生したときの図１に示したケーブル区間事故検出装置の動作について説明するための図である。
【図６】第１の架空送電線１ＬのＲ相で地絡事故が発生したときの図１に示したケーブル区間事故検出装置の動作について説明するための図である。
【図７】従来のケーブル区間事故検出装置について説明するための図である。
【符号の説明】
【００４０】
１０1，１０2  第１および第２のシース電流検出用変流器
１１  過電流継電器
１１1R，１１1S，１１1T  第１のＲ相、Ｓ相およびＴ相変流器
１１2R，１１2S，１１2T  第２のＲ相、Ｓ相およびＴ相変流器
２０1，２０2  第１および第２の送電線継電器
３０  事故検出装置
３１1，３１2  第１および第２の論理積回路
１１１1，１１１2  第１および第２の変流器
１１２1，１１２2  第１および第２の貫通型変流器
１２０1，１２０2  第１および第２の送電線継電器
１３１1，１３１2  第１および第２の事故検出装置
１３２1，１３２2  第１および第２の事故検出装置端末
１Ｌ，２Ｌ  第１および第２の架空送電線
１Ｌ’，２Ｌ’  第１および第２の架空分岐線
１ＬR’，１ＬS’，１ＬT’  第１のＲ相、Ｓ相およびＴ相架空分岐線
２ＬR’，２ＬS’，２ＬT’  第２のＲ相、Ｓ相およびＴ相架空分岐線
１Ｃ，２Ｃ  第１および第２の電力ケーブル
１ＣR，１ＣS，１ＣT  第１のＲ相、Ｓ相およびＴ相電力ケーブル
２ＣR，２ＣS，２ＣT  第２のＲ相、Ｓ相およびＴ相電力ケーブル
Ｉ1，Ｉ2  第１および第２の架空分岐線事故電流
ｉ1，ｉ2  第１および第２の電力ケーブル事故電流
Ｉ1R，Ｉ1S，Ｉ1T  第１のＲ相、Ｓ相およびＴ相架空分岐線事故電流
Ｉ2R，Ｉ2S，Ｉ2T  第２のＲ相、Ｓ相およびＴ相架空分岐線事故電流
ｉS1R，ｉS1S，ｉS1T  第１のＲ相、Ｓ相およびＴ相シース電流
ｉS2R，ｉS2S，ｉS2T  第２のＲ相、Ｓ相およびＴ相シース電流
ｉS1，ｉS2  第１および第２のシース和電流
ＳOC  過電流継電器動作信号
ＳLP1，ＳLP2  第１および第２の送電線継電器動作信号
Ｓ1L，Ｓ2L  第１および第２の電力ケーブル事故検出信号
【図１】
2010112920.tif 000003
【図２】
2010112920.tif 000004
【図３】
2010112920.tif 000005
【図４】
2010112920.tif 000006
【図５】
2010112920.tif 000007
【図６】
2010112920.tif 000008
【図７】
2010112920.tif 000009